(57)【要約】【課題】  従来の磁気活性化装置は、流体通路を包囲する非磁性体からなる導電性金属層が設けられているが電磁気を活用していない、更に６対の永久磁石を６０°毎に配置されているが、磁気の回転角が小さく、より効率的に行うためには、永久磁石による磁力を強化する以外には活性化の効率を向上する方法はないという問題があった。【解決手段】  永久磁石による磁気と、電磁気活用による永久磁石上に開ループ状に形成されたコイルの両端に現れる電圧及び、前記コイルの低い周波数付与による微細化、四角形状に重ねて載置されたＳ極−Ｓ極−Ｎ極−Ｎ極の永久磁石側の磁気パターンと四角形状のＳ極−Ｎ極−Ｎ極−Ｓ極の永久磁石の磁気キャンセルと磁気パターンが９０°回転する相乗効果によりフェライト等の強力でない永久磁石でも磁気活性化実現することが可能な、効率的で活性度の高い磁気活性装置を廉価に実現したものである。【選択図】図２
2020116558.tif 000002
【特許請求の範囲】
【請求項１】
活性物の外周部に設けられたケース本体と、このケース本体に保持され、活性物に接する側に永久磁石を設けた磁石収納体を具備してなる磁気活性装置において、活性物側に接する側、第一グループの永久磁石面上及び、第一グループの永久磁石に重ねて載置された第二グループの永久磁石面上に帯状の非磁性体からなる導電性金属層を、各々開ループとなるように形成したことを特徴とする磁気活性装置。
【請求項２】
前記、活性物に接する側と反対側の永久磁石面上に帯状の非磁性体からなる導電性金属層を、各々開ループとなるように形成したことを特徴とする第１項記載の磁気活性装置。
【請求項３】
前記、非磁性体からなる導電体金属層の開ループ長さが略１００〜２００ｍｍとなることを特徴とする第１，２項記載の磁気活性装置。
【請求項４】
前記、第一グループの永久磁石面を四角形状に重ねて載置されたＳ極−Ｓ極−Ｎ極−Ｎ極の永久磁石側の磁気パターンと第二グループの永久磁石面Ｓ極−Ｎ極−Ｎ極−Ｓ極の永久磁石の磁気パターンが回転することを特徴とする第１，２記載の磁気活性装置。
【請求項５】
前記、第一グループの永久磁石面を四角形状に重ねて載置されたＳ極−Ｓ極−Ｎ極−Ｎ極の永久磁石側の磁気パターンと第二グループの永久磁石面を四角形状に重ねて載置されたＳ極−Ｎ極−Ｎ極−Ｓ極の永久磁石の磁気パターンが略９０°となることを特徴とする第４項記載の磁気活性装置。
【請求項６】
前記、活性物に対して上下同極側の永久磁石の長さと、上下異極側の永久磁石長さを変え、前記、磁気パターンの回転角が略９０°以外となることを特徴とする第４項記載の磁気活性装置。
【発明の詳細な説明】
【技術分野】
【０００１】  本発明は、磁力により物質を活性化させる磁気活性装置に関し、特に磁力と電磁気を用いた磁気活性装置に関する。
【背景技術】
【０００２】  磁力を利用して水等の流体を活性化させる磁気活性装置として図６に示すようにケーシング内部に設けられた流体通路の周囲に少なくとも１対の永久磁石を配置し、永久磁石の磁力によって流体通路を流れる流体を活性化させる流体の活性化装置において流体通路と永久磁石の間に設けられ、流体通路を包囲する非磁性体からなる導電性金属層が設けられているが電磁気を活用していない。更に図７に示すように６対の永久磁石を６０°毎に載置されているが磁気の回転角が小さく、これらの方法で、より効率的に行うためには、永久磁石の磁力を強化する以外には活性化の効率を向上する方法はなく、活性化の度合いが低く十分でないという問題点があり、さらにネオジム磁石等の強力な磁力を持つ永久磁石が使われており高価なものになる問題があった。
【先行技術文献】
【特許文献】
【０００３】
【特許文献１】特許第４１３１４７９号（第１２頁、図２）
【特許文献２】特許第４０３８２７９号（第８頁、図３）
【発明の概要】
【発明が解決しようとする課題】
【０００４】  本発明はこれらの問題を解決して、装置構成が簡単で、かつ、電磁気活用による活性化率及び微細化に優れ、廉価に製造できる磁気活性装置を実現することを課題とする。
【課題を解決するための手段】
【０００５】  本発明は永久磁石の磁気と、電磁気活用による永久磁石上に開ループ状に形成された非磁性体でからなる導電性金属層で構成されたコイルによる電圧及び、重ねて載置された磁石により磁場キャンセル、磁気パターンが９０°回転することによる微細化の相乗効果によりフェライト等の強力でない永久磁石でも磁気活性化を実現することが可能な、効率的で活性度の高い磁気活性装置を廉価に実現したものである。【０００６】  本発明は、上記課題を達成するため、活性物の外周部に設けられたケース本体と、このケース本体に保持され、活性物に接する側に永久磁石を設けた磁石収納体を具備してなる磁気活性装置において、活性物側に接する側、第一グループの永久磁石面上及び、第一グループの永久磁石に重ねて載置された、第二グループの永久磁石面上に帯状の非磁性体からなる導電性金属層を、各々開ループとなるように形成したことを特徴とする磁気活性装置を提供するものである。【０００７】  また、前記、活性物に接する側と反対側の永久磁石面上に帯状の非磁性体からなる導電性金属層を、各々開ループとなるように形成したことを特徴とする磁気活性装置を提供するものである。【０００８】  また、前記、非磁性体からなる導電体金属層の開ループ長さが略１００〜２００ｍｍとなることを特徴とする磁気活性装置を提供するものである。【０００９】  また、前記、第一グループの永久磁石面を四角形状に重ねて載置されたＳ極−Ｓ極−Ｎ極−Ｎ極の永久磁石側の磁気パターンと第二グループの永久磁石面Ｓ極−Ｎ極−Ｎ極−Ｓ極の永久磁石の磁気パターンが回転することを特徴とする磁気活性装置を提供するものである。【００１０】  また、前記、第一グループの永久磁石面を四角形状に重ねて載置されたＳ極−Ｓ極−Ｎ極−Ｎ極の永久磁石側の磁気パターンと第二グループの永久磁石面を四角形状に重ねて載置されたＳ極−Ｎ極−Ｎ極−Ｓ極の永久磁石の磁気パターンが略９０°となることを特徴とする磁気活性装置を提供するものである。【００１１】  前記、活性物に対して上下同極側の永久磁石の長さと、上下異極側の永久磁石長さを変え、前記、磁気パターンの回転角が略９０°以外となることを特徴とする磁気活性装置を提供するものである。
【発明の効果】
【００１２】  これにより、永久磁石による磁気と、永久磁石上に形成された非磁性体からなる導電体金属層で構成された開ループコイルの両端に生じる電圧による微細化及び四角形状に重ねて載置されたＳ極−Ｓ極−Ｎ極−Ｎ極の永久磁石側の磁気パターンとＳ極−Ｎ極−Ｎ極−Ｓ極の永久磁石の磁気パターンが上下永久磁石により磁場を大きくキャンセルして、更に磁場を９０°回転することにより磁場の大きな変化を活性物に与えることができるため微細化に優れ、これらの相乗効果によりフェライト等の強力でない永久磁石でも磁気活性化実現することが可能な、効率的で活性度の高い磁気活性装置を廉価に実現したものである。
【図面の簡単な説明】
【００１３】
【図１】本発明の磁気活性装置の構成を示す図である。
【図２】図１の下部に形成された磁石構成を示す図である。
【図３】本発明の別の磁気活性装置の構成を示す図である。
【図４】図３の下部に形成された磁石構成を示す図である。
【図５】本発明の別の磁気活性装置の構成を示す図である。
【図６】従来の磁気活性装置の一例を示す断面図である。
【図７】従来の磁気活性装置の別の例を示す断面図である。
【発明を実施するための形態】
【００１４】  図１は、本発明に係る磁気活性装置の実施形態を示す。活性物１を取り巻いて第一グループ四角形状にＳ極−Ｓ極−Ｎ極−Ｎ極の永久磁石１０、２０、３０、４０、活性物１側の永久磁石面上には銅、銀等の帯状の非磁性体からなる開ループの導電性金属層２Ａを設ける。更には活性物１側に接する側と反対側の永久磁石面上には銅、銀等の帯状の非磁性体からなる開ループの導電性金属層３Ａを設ける。６は鉄等の磁性体からなる磁気収納体であり、７はステンレス、合成樹脂等で形成されたケース体である。
【００１５】  図２は、図１の第一グループの四角形状にＳ極−Ｓ極−Ｎ極−Ｎ極の永久磁石１０、２０、３０、４０の下部に形成された、第二グループの四角形状のＳ極−Ｎ極−Ｎ極−Ｓ極の永久磁石５０、６０、７０、８０、活性物１側の永久磁石面上には銅、銀等の帯状の非磁性体からなる開ループの導電性金属層２Ｂを設ける。更には活性物１側に接する側と反対側の永久磁石面上には銅、銀等の帯状の非磁性体からなる開ループの導電性金属層３Ｂを設ける。
【００１６】  図１、図２の帯状非磁性体からなる開ループ導電性金属層２Ａ、３Ａ、２Ｂ，３ＢはコイルＬ２Ａ、Ｌ３Ａ、Ｌ２Ｂ、Ｌ３Ｂと見なすことができる。永久磁石による磁場がＳ極−Ｓ極−Ｎ極−Ｎ極の出力回路となっているためコイルＬ２Ａ、Ｌ３Ａ、Ｌ２Ｂ、Ｌ３Ｂ両端に電圧Ｖ２Ａ、Ｖ３Ａ、Ｖ２Ｂ、Ｖ３Ｂが現れる。電圧Ｖ２Ａ、Ｖ３Ａ、Ｖ２Ｂ、Ｖ３Ｂは活性物１に作用を及ぼす。
【００１７】  非磁性体からなる開ループ導電性金属層を上下永久磁石にまたがって形成した場合、Ｓ極−Ｓ極−Ｎ極−Ｎ極またはＳ極−Ｎ極−Ｎ極−Ｓ極の出力回路とならないため電圧Ｖ２Ａ、Ｖ３Ａ、Ｖ２Ｂ、Ｖ３Ｂは小さい。このため強力な永久磁石が必要となる。
【００１８】  帯状非磁性体からなる開ループ導電性金属層を銅板等で形成した場合、周囲長さを１２８ｍｍとすると上下永久磁石により磁場が大きくいキャンセルされ、ゼロポイント場になるため波長λ＝０．１２８ｍ、光速度ｃ→ｃｈ＝１ｍ／ｓｅｃとした場合、ｆ＝１／０．１２８＝７．８Ｈｚとなりこの周波数が活性物に付与されるため微細化が大きく進む。付与する周波数は内径、外径の開ループの長さより選ぶことができる。
【００１９】  図１は、本発明に係る磁気活性装置の実施形態を示す。活性物１を取り巻いて四角形状に重ねて載置されたＳ極−Ｓ極−Ｎ極−Ｎ極の永久磁石１０、２０、３０、４０、永久磁石３０からは永久磁石１０、２０に磁束が向かう、永久磁石４０からは永久磁石１０、２０に磁束が向かうため図１の合成された磁束は矢印のようになる。
【００２０】  図２は、図１の四角形状に重ねて載置されたＳ極−Ｓ極−Ｎ極−Ｎ極の永久磁石１０、２０、３０、４０の下部に形成された四角形状の、Ｓ極−Ｎ極−Ｎ極−Ｓ極の永久磁石５０、６０、７０、８０、永久磁石６０からは永久磁石５０、８０に磁束が向かう、永久磁石７０からは永久磁石５０、８０に磁束が向かうため図２の合成された磁束は矢印のようになる。活性物１にとって図１の合成磁束と図２の合成磁束は左向きに９０°回転したように見えるため活性物１は大きく活性化される。
【００２１】  図３は、本発明に係る磁気活性装置の別の実施形態を示す。図３の四角形状に重ねて載置されたＳ極−Ｓ極−Ｎ極−Ｎ極の永久磁石１１、２０、３１、４０は長さが１１、３１＞２０、４０となっている。活性物１を取り巻いて四角形状のＳ極−Ｓ極−Ｎ極−Ｎ極の永久磁石１１、２０、３１、４０、永久磁石３１からは１１、２０に磁束が向かう、永久磁石４０からは永久磁石１１、２０に磁束が向かうため図３の合成された磁束は矢印のようになる。
【００２２】  図３の四角形状に重ねて載置されたＳ極−Ｓ極−Ｎ極−Ｎ極の永久磁石１１、２０、３１、４０の下部に形成された図４の四角形状のＳ極−Ｎ極−Ｎ極−Ｓ極の永久磁石５１、６０、７１、８０は、長さが５１、７１＞６０、８０となっている。永久磁石６０からは５１、８０に磁束が向かう、永久磁石７１からは永久磁石５１、８０に磁束が向かうため図４の合成された磁束は矢印のようになる。活性物１にとって図３の合成磁束と図４の合成磁束は左向きに９０°以上回転したように見えるため活性物１は大きく活性化される。
【００２３】  図５は、本発明に係る磁気活性装置の別の実施形態を示す。図５（Ａ）は図１と，図５（Ｂ）は図２と同じである。図５（Ｂ）の四角形状に重ねて載置されたＳ極−Ｎ極−Ｎ極−Ｓ極の永久磁石５０、６０、７０、８０の下部に形成された図５（Ｃ）の四角形状のＮ極−Ｎ極−Ｓ極−Ｓ極の永久磁石９０、１００、１１０、１２０、永久磁石９０からは永久磁石１１０、１２０に磁束が向かう、永久磁石１００からは永久磁石１１０、１２０に磁束が向かうため図５（Ｃ）の合成された磁束は左向きに９０°回転（合計１８０°）する。
【００２４】  図５（Ｃ）の四角形状に重ねて載置されたＮ極−Ｎ極−Ｓ極−Ｓ極の永久磁石９０、１００、１１０、１２０の下部に形成された図５（Ｄ）の四角形状の、Ｎ極−Ｓ極−Ｓ極−Ｎ極の永久磁石１３０、１４０、１５０、１６０、永久磁石１３０からは永久磁石１４０、１５０に磁束が向かう、永久磁石１６０からは永久磁石１４０、１５０に磁束が向かうため図５（Ｄ）の合成された磁束は左向きに９０°回転（合計２７０°）する。
【００２５】  従来の、永久磁石による磁気のみの作用に加えて、電磁気活用により開ループコイルＬ２Ａ、Ｌ２Ｂ、Ｌ２Ｃ、Ｌ２Ｄ、Ｌ３Ａ、Ｌ３Ｂ、Ｌ３Ｃ、Ｌ３Ｄ、Ｌ４Ａ、Ｌ４Ｂ、Ｌ５Ａ、Ｌ５Ｂの両端に現れる電圧Ｖ２Ａ、Ｖ２Ｂ、Ｖ２Ｃ、Ｖ２Ｄ、Ｖ３Ａ、Ｖ３Ｂ、Ｖ３Ｃ、Ｖ３Ｄ、Ｖ４Ａ、Ｖ４Ｂ、Ｖ５Ａ、Ｖ５Ｂの付与、及び開ループコイル長さによる低い周波数により微細化が進み、上下磁石により磁気キャンセルと磁場が９０°回転するため活性物１は相乗効果により効率良く活性化され、永久磁石を従来のネオジム磁石等から強力でないフェライト磁石へ変えることが可能となるため廉価化が大きく進む。
【符号の説明】
【００２６】１    活性物
１０、２０、３０、３１、４０、５０、５１、６０、７０、７１、８０、９０、１００、１１０、１２０、１３０、１４０、１５０、１６０
永久磁石
２Ａ、２Ｂ、２Ｃ、２Ｄ、４Ａ、４Ｂ
内側開ループ帯状の非磁性体からなる導電性金属層
３Ａ、３Ｂ、３Ｃ、３Ｄ、５Ａ、５Ｂ
外側開ループ帯状の非磁性体からなる導電性金属層
６    磁石収納体
７    ケース体
【図１】
2020116558.tif 000003
【図２】
2020116558.tif 000004
【図３】
2020116558.tif 000005
【図４】
2020116558.tif 000006
【図５（Ａ）】
2020116558.tif 000007
【図５（Ｂ）】
2020116558.tif 000008
【図５（Ｃ）】
2020116558.tif 000009
【図５（Ｄ）】
2020116558.tif 000010
【図６】
2020116558.tif 000011
【図７】
2020116558.tif 000012